(57)【要約】【課題】ユーザが、自身または親や子などの年代を計算することなく、ユーザ自身または親や子などの各年代の情報を容易に検索できるとともに、ユーザ自身などの各年代の情報と親や子などの各年代の情報とを容易に比較対照できるようにする。【解決手段】ユーザが自身の誕生年である１９８０年と親の誕生年である１９４５年を入力すると、装置の制御手段は、１９８０年および１９４５年を０歳とする相対年表軸８１を設定し、１９８０年以降の暦年に関連する情報および１９４５年以降の暦年に関連する情報を相対年表軸８１に対応づけて示した対照年表を生成し、その一部の年代領域を対照年表画面８０として表示する。表示年代領域は、ユーザの操作によって変更される。ユーザがコンテンツを選択すると、装置の制御手段および再生手段は、そのコンテンツを再生する。【選択図】図８
2007305024.tif 000002
【特許請求の範囲】
【請求項１】
誕生年として指示された暦年を基準年とする、または指示された年齢から誕生年として換算した暦年を基準年とする相対年表軸を設定し、その相対年表軸上の各年代に関連する情報を示した年表を生成して、ディスプレイ上に表示する工程と、
変更指示を受けて、前記年表の前記ディスプレイ上に表示される年代領域を変更する工程と、
を備える情報提示方法。
【請求項２】
請求項１の情報提示方法において、
複数の暦年または年齢が指示されることによって、前記年表として、それぞれの暦年または年齢に対応した複数の年表を共通の相対年表軸上に示した対照年表を生成し、前記ディスプレイ上に表示することを特徴とする情報提示方法。
【請求項３】
請求項１の情報提示方法において、
前記情報の一部または全部は、コンテンツに関連するものであり、
前記年表が表示された状態で、コンテンツに関連する情報が選択されたとき、その選択された情報に関連するコンテンツを再生する工程を備えることを特徴とする情報提示方法。
【請求項４】
請求項１の情報提示方法において、
前記情報を含む前記年表の生成のためのデータは、ネットワークを介して取得することを特徴とする情報提示方法。
【請求項５】
請求項３の情報提示方法において、
前記コンテンツ再生工程では、ネットワークを介して取得したコンテンツデータによってコンテンツを再生することを特徴とする情報提示方法。
【請求項６】
ディスプレイ、操作入力手段、および制御手段を備え、
前記制御手段は、前記操作入力手段によって誕生年として指示された暦年を基準年とする、または前記操作入力手段によって指示された年齢から誕生年として換算した暦年を基準年とする相対年表軸を設定し、その相対年表軸上の各年代に関連する情報を示した年表を生成して、前記ディスプレイ上に表示するとともに、前記操作入力手段による変更指示を受けて、前記年表の前記ディスプレイ上に表示される年代領域を変更する情報提示装置。
【請求項７】
請求項６の情報提示装置において、
前記制御手段は、前記操作入力手段によって複数の暦年または年齢が指示されたとき、前記年表として、それぞれの暦年または年齢に対応した複数の年表を共通の相対年表軸上に示した対照年表を生成し、前記ディスプレイ上に表示することを特徴とする情報提示装置。
【請求項８】
請求項６の情報提示装置において、
前記情報の一部または全部は、コンテンツに関連するものであり、
前記制御手段は、前記年表が表示された状態で、前記操作入力手段によってコンテンツに関連する情報が選択されたとき、コンテンツ再生手段に、その選択された情報に関連するコンテンツを再生させることを特徴とする情報提示装置。
【請求項９】
請求項６の情報提示装置において、
前記情報を含む前記年表の生成のためのデータが記録される記憶手段を備えることを特徴とする情報提示装置。
【請求項１０】
請求項６の情報提示装置において、
前記情報を含む前記年表の生成のためのデータを、ネットワークを介して取得する手段を備えることを特徴とする情報提示装置。
【請求項１１】
請求項８の情報提示装置において、
コンテンツデータが記録される記憶手段を備え、
前記コンテンツ再生手段は、前記記憶手段からコンテンツデータを読み出して、コンテンツを再生することを特徴とする情報提示装置。
【請求項１２】
請求項８の情報提示装置において、
ネットワークを介してコンテンツデータを取得する手段を備えることを特徴とする情報提示装置。
【請求項１３】
情報提示のためにコンピュータを、
誕生年として指示された暦年を基準年とする、または指示された年齢から誕生年として換算した暦年を基準年とする相対年表軸を設定し、その相対年表軸上の各年代に関連する情報を示した年表を生成して、ディスプレイ上に表示する手段、および、
変更指示を受けて、前記年表の前記ディスプレイ上に表示される年代領域を変更する手段、
として機能させるための情報提示用プログラム。
【請求項１４】
請求項１３の情報提示用プログラムにおいて、
複数の暦年または年齢が指示されることによって、前記年表として、それぞれの暦年または年齢に対応した複数の年表を共通の相対年表軸上に示した対照年表を生成し、前記ディスプレイ上に表示することを特徴とする情報提示用プログラム。
【発明の詳細な説明】
【技術分野】
【０００１】
この発明は、ある年や年代に、ある曲がヒットしたこと、ある映画が上映されたこと、ある事実が起きたこと、などの情報を、ユーザに提示する方法および装置に関する。
【背景技術】
【０００２】
毎年、社会的に多くの事実が起き、音楽などのコンテンツについても、多数のコンテンツが発表・発売され、ユーザによって一部取得されていることから、ユーザが、どの年や年代に、どのような事実が起き、どのような曲がヒットし、どのような映画が上映されたか、などを検索し、さらに、その中からコンテンツを選択するためには、情報の提示に何らかの工夫が必要となる。
【０００３】
単純な方法としては、例えば、「１９９０年：『‥‥』発売、１９９１年：『‥‥』ヒット、１９９２年：『‥‥』上映、１９９３年‥‥‥‥」というような、暦年を順次そのまま示した年表の形式で、情報を提示する方法が考えられている。
【０００４】
また、特許文献１（特開２００６−４１５２号公報）には、初期設定画面において、ユーザが誕生年または現在の年齢を入力することによって、年代検索実行画面が表示され、この年代検索実行画面において、ユーザが高校１年または１６歳などというように年代（学年または年齢）を指定することによって、その指定された年代に対応する暦年（例えば、２００５年の時点で、誕生年として１９６７年が、または現在の年齢として３８歳が入力され、年代として高校１年または１６歳が指定された場合には、１９８３年）に発売された曲やヒットした曲のタイトルなどが検索結果画面として表示されるようにすることが示されている。
【０００５】
上に挙げた先行技術文献は、以下の通りである。
【特許文献１】特開２００６−４１５２号公報
【発明の開示】
【発明が解決しようとする課題】
【０００６】
しかしながら、上記のように、暦年を順次そのまま示した年表の形式で、情報を提示する方法では、暦年という絶対的な時間軸上で情報を提示するため、ユーザは、それぞれの情報が、自身のどの年代のものであるか、いちいち頭の中で計算しなければならず（例えば１９８５年が自身の何歳のときであるかを瞬時に分かるユーザは少ない）、ユーザが自身の幼少期や思春期などの年代の情報を検索する場合、不便である。
【０００７】
しかも、この方法では、ユーザが、例えば、自身が２４歳のとき（例えば２００４年）には、どんな曲がヒットし、父親が２４歳のとき（例えば１９６９年）には、どんな曲がヒットしたかを検索する場合、両者を年表軸上の同じ位置で簡単かつ瞬時に比較対照することができない。
【０００８】
一方、特許文献１に示された方法は、ユーザが、誕生年または現在の年齢を入力するだけでなく、さらに年代を指定するため、ユーザが、ある年代の情報と別の年代の情報とを検索する場合、ユーザは年代の指定を繰り返し行わなければならず、ユーザの操作が繁雑となる。
【０００９】
しかも、特許文献１に示された方法でも、例えば、ユーザ自身がある年代の頃の情報と父親が同じ年代の頃の情報とを簡単かつ瞬時に比較対照することができない。
【００１０】
そこで、この発明は、ユーザが、自身または親や子などの年代を計算することなく、ユーザ自身または親や子などの各年代の情報を容易に検索することができるとともに、ユーザ自身などの各年代の情報と親や子などの各年代の情報とを容易に比較対照することができるようにしたものである。
【課題を解決するための手段】
【００１１】
この発明の情報提示方法は、
誕生年として指示された暦年を基準年とする、または指示された年齢から誕生年として換算した暦年を基準年とする相対年表軸を設定し、その相対年表軸上の各年代に関連する情報を示した年表を生成して、ディスプレイ上に表示する工程と、
変更指示を受けて、前記年表の前記ディスプレイ上に表示される年代領域を変更する工程と、
を備えるものである。
【００１２】
上記の情報提示方法では、ユーザが、自身または親や子などの誕生年、または自身または親や子などの現在の年齢を入力すると、装置の制御手段によって、その誕生年として指示された暦年を基準年（ゼロ歳）とする、または指示された年齢から誕生年として換算した暦年を基準年（ゼロ歳）とする相対年表軸が設定され、その相対年表軸上の各年代に関連する情報を示した年表が生成されて、ディスプレイ上に表示される。
【００１３】
例えば、ユーザが自身の誕生年である１９８０年を入力すると、１９８０年が相対年表軸上の基準年（ゼロ歳）とされ、「０歳：『‥‥』発売、１歳：『‥‥』ヒット、２歳：『‥‥』上映、‥‥‥‥」というような、基準年（ゼロ歳）以降に係る年表が生成され、表示される。
【００１４】
また、例えば、２００６年の時点でユーザが自身の現在の年齢である６１歳を入力すると、２００６年から６１年遡った１９４５年が相対年表軸上の基準年（ゼロ歳）とされ、「０歳：終戦、１歳：『‥‥』上映、２歳：『‥‥』ヒット、‥‥‥‥」というような、基準年（ゼロ歳）以降に係る年表が生成され、表示される。
【００１５】
さらに、０歳から現在の年齢に至るまでの全ての年代の情報をディスプレイ上に表示できない場合や、表示できる場合でも表示すると情報が見にくくなるような場合には、ユーザが表示年代領域の変更を指示することによって、装置の制御手段は、その指示に応じて、上記のような相対年表軸の年表のディスプレイ上に表示される年代領域を、１０歳未満の年代（０歳から９歳まで）から１０歳代（１０歳から１９歳まで）に変更するなど、一定年数分ごとに変更し、または、０歳から現在の年齢に至るまでの全ての年代領域や、３０年間というような長期の年代領域から、５年間や１０年間というような短期の年代領域に変更する。
【００１６】
さらに、ユーザが複数の暦年（誕生年）または年齢を入力することによって、装置の制御手段が、上記の年表として、それぞれの暦年または年齢に対応した複数の年表を共通の相対年表軸上に示した対照年表を生成し、ディスプレイ上に表示するように構成することによって、ユーザは、例えば、自身がある年齢のときの情報と親や子が同じ年齢のときの情報とを相対年表軸上の同じ位置で簡単かつ瞬時に比較対照することができる。
【発明の効果】
【００１７】
以上のように、この発明によれば、ユーザは、自身または親や子などの年代を計算することなく、ユーザ自身または親や子などの各年代の情報を容易に検索することができるとともに、ユーザ自身などの各年代の情報と親や子などの各年代の情報とを容易に比較対照することができる。
【発明を実施するための最良の形態】
【００１８】
［１．システムの一例：図１および図２］
図１は、この発明の情報提示方法を実行する装置の一例としてのユーザ端末を示す。
【００１９】
この例のユーザ端末１０は、相対年表軸の年表の表示によって情報を提示するだけでなく、年表上の情報に関連するコンテンツとしての、音声（楽曲、ナレーション、会話、効果音など）、画像（映画、動画、静止画など）、テキスト、振動、光などを再生する機能を備えるものである。
【００２０】
具体的に、ユーザ端末１０は、ＣＰＵ１１を備え、そのバス１２には、この発明の方法に係る情報提示用プログラムを含む各種のプログラムやデータが書き込まれるＲＯＭ１３、およびプログラムやデータが展開されるＲＡＭ１４が接続されて、制御部１５が構成される。
【００２１】
さらに、バス１２には、記憶装置部２１、キー操作部２２およびタッチパネル部２３が接続されるとともに、表示処理部２５を介して液晶ディスプレイなどのディスプレイ２６が接続され、音声処理部２８を介して音声出力部２９が接続される。
【００２２】
記憶装置部２１は、ユーザ端末１０に内蔵される半導体メモリやハードディスクなどの内部記憶装置、またはユーザ端末１０に装着または接続される光ディスクやメモリカードなどの外部記憶装置で、これには、「１９５４年：映画『トリノの祭日』大ヒット」、「１９６９年：アポロ１１号人類初の月着陸」、「２００４年：『トリノの祭日』５０周年記念上映」などというような暦年に関連する情報が記録されるとともに、楽曲データや画像データなどのコンテンツデータが記録される。
【００２３】
タッチパネル部２３は、ディスプレイ２６の表示画面上に設けられるタッチパネルと位置検出部とによって構成され、表示処理部２５は、ディスプレイ２６上に表示される画像や情報のデータを処理するものであり、音声出力部２９は、音声増幅回路およびこれに接続されるスピーカまたはヘッドホンである。
【００２４】
さらに、バス１２には、インターネット１００に接続するための外部インタフェース３１が接続されるとともに、無線インタフェース３３を介してアンテナ３４が接続される。ただし、提示される情報および再生されるコンテンツが全て記憶装置部２１に記録されている場合には、外部インタフェース３１や、無線インタフェース３３およびアンテナ３４は、無くてもよい。
【００２５】
図２に、ユーザ端末１０の外観構成の一例を示す。この例では、ディスプレイ２６が比較的大画面のものとされるとともに、上記のキー操作部２２として、電源キー４１、検索キー４３、アップキー４５およびダウンキー４６が設けられる。アップキー４５およびダウンキー４６は、後述のように相対年表軸の年表のディスプレイ２６上に表示される年代領域を変更するためのキーである。
【００２６】
［２．情報提示およびコンテンツ再生の方法：図３〜図９］
（２−１．誕生年または年齢の入力：図３）
上記の例のユーザ端末１０では、ユーザが電源キー４１を押してユーザ端末１０の電源をオンにすると、またはユーザ端末１０の電源がオンにされている状態で検索キー４３を押すと、ディスプレイ２６上に、図３（Ａ）または図３（Ｂ）に示すような入力画面が表示される。
【００２７】
図３（Ａ）の入力画面５１は、“Ａ”，“Ｂ”の２つの誕生年を入力することができるものである。この場合、ユーザは、例えば、自身の誕生年のみを“Ａ”として入力し、または、例えば、自身の誕生年を“Ａ”として、父親の誕生年を“Ｂ”として、それぞれ入力する。
【００２８】
図３（Ｂ）の入力画面５２は、“Ａ”，“Ｂ”の２つの年齢を入力することができるものである。この場合、ユーザは、例えば、自身の現在の年齢のみを“Ａ”として入力し、または、例えば、自身の現在の年齢を“Ａ”として、父親の現在の年齢を“Ｂ”として、それぞれ入力する。
【００２９】
誕生年または年齢の入力は、例えば、ディスプレイ２６上のタッチパネルの、誕生年または年齢の各桁の位置を指やタッチペンでタッチして、当該の桁の数字を順次変更することによって行う。
【００３０】
ユーザは、誕生年または年齢を入力したら、入力画面５１または５２のスタートボタン５５にタッチして、ユーザ端末１０に検索を開始させる。
【００３１】
（２−２．年表の生成および表示とコンテンツの選択および再生：図４〜図６）
上記のように誕生年または年齢が入力され、検索開始が指示されると、ユーザ端末１０の制御部１５は、入力された誕生年を基準年（ゼロ歳）とする、または入力された年齢から換算した誕生年を基準年（ゼロ歳）とする相対年表軸を設定し、その相対年表軸上の各年代に関連する情報を示した年表を生成して、ディスプレイ２６上に表示する。
【００３２】
例えば、図３（Ａ）に示すように、誕生年“Ａ”として１９４５年が入力された場合、図４に示すように、１９４５年を０歳、１９４６年を１歳、１９４７年を２歳とする相対年表軸６１を設定し、１９４５年以降の暦年に関連する情報を、その相対年表軸６１に対応づけて、相対年表軸６１の片側に示した年表を生成し、図４に示すように、その年表の一部の年代領域を年表画面６０として表示する。
【００３３】
また、例えば、図３（Ｂ）に示すように、年齢“Ａ”として２６歳が入力された場合、現在が２００６年であれば、２００６−２６＝１９８０、という計算によって、１９８０年を０歳、１９８１年を１歳、１９８２年を２歳とする相対年表軸を設定し、１９８０年以降の暦年に関連する情報を、その相対年表軸に対応づけて、相対年表軸の片側に示した年表を生成し、その年表の一部の年代領域を年表画面として表示する。
【００３４】
生成された年表中の、ディスプレイ２６上に表示される年代領域は、ディスプレイ２６の表示画面サイズや各年代の情報量に応じて最適化されるが、図４は、０歳から１８歳まで（暦年では１９４５年から１９６３年まで）の１９年分の年代領域が表示される場合である。
【００３５】
これによって、ユーザは、例えば、自身の幼少年期に、どのような曲が発売され、ヒットし、どのような映画が上映され、どのような事実が起きたか、などを容易に検索することができる。
【００３６】
具体的に、図４の場合、自身が９歳のときに『トリノの祭日』という映画が大ヒットしたこと、自身が１６歳のときに「坂木歩」が歌った『前を向いて進もう』という曲がヒットしたこと、同じく自身が１６歳のときに人類が初めて宇宙飛行をしたこと、自身が１８歳のときに「坂木歩」が歌った『見上げてごらん空の雲を』という曲がヒットしたこと、などが分かる。
【００３７】
ユーザは、表示された年表画面６０に示されていない年代の情報を検索する場合には、アップキー４５またはダウンキー４６を操作して、年表画面６０に示される年代領域を変更させる。
【００３８】
この例では、アップキー４５を１回押すと、年表画面６０に示される年代領域が１年だけ過去に遡り、ダウンキー４６を１回押すと、年表画面６０に示される年代領域が１年だけ現在に近づき、アップキー４５またはダウンキー４６を長押しすると、その押されている間、年表画面６０に示される年代領域が、過去に遡り、または現在に近づく。
【００３９】
図５は、図４のように年表中の０歳から１８歳まで（暦年では１９４５年から１９６３年まで）の１９年分の年代領域が表示された状態で、ユーザがダウンキー４６を操作することによって、同じ年表中の１８歳から３６歳まで（暦年では１９６３年から１９８１年まで）の１９年分の年代領域が表示された状態を示す。
【００４０】
これによって、ユーザは、例えば、自身の青年期に、どのような曲が発売され、ヒットし、どのような映画が上映され、どのような事実が起きたか、などを容易に検索することができる。
【００４１】
具体的に、図５の場合、自身が２４歳のときに人類が初めて月に着陸したこと、自身が３２歳のときに「山内桃子」が歌った『プラチナ・イミテーション』という曲が発売されたこと、自身が３３歳のときに「山内桃子」が歌った『いい日いい時』という曲がヒットしたこと、自身が３６歳のときに『南の島から』というテレビドラマが放送されたこと、などが分かる。
【００４２】
この例では、以上のように年表中の情報の一部は楽曲や映画などのコンテンツについての情報であり、かつ、そのうちの楽曲についての情報は、その楽曲の音楽データが記憶装置部２１に記録されているものとする。
【００４３】
また、「アポロ１１号人類初の月着陸」などの、直接にはコンテンツについての情報ではなく、事実についての情報についても、その事実に関連する画像（例えば、宇宙飛行士が月面に降り立ったときの様子を撮影した画像）、音声（例えば、宇宙飛行士と地上管制センターとの間で交わされた会話）、テキスト（例えば、月着陸のときの様子を伝える記事）などのコンテンツのデータが記憶装置部２１に記録されている場合には、年表画面６０の当該の事実についての情報が示される位置に、関連するコンテンツが存在する旨の標識や関連する画像のサムネイル画像などが表示される。
【００４４】
ユーザは、年表画面６０を見て、聴きたい曲や見たい画像などがある場合には、それを示す部分にタッチする。
【００４５】
これによって、制御部１５は、記憶装置部２１から、その指示されたコンテンツのデータを読み出し、コンテンツが楽曲または音声である場合には、音声処理部２８によって再生処理して、音声出力部２９によって出力し、コンテンツが画像またはテキストである場合には、表示処理部２５によって再生処理して、ディスプレイ２６上に表示する。
【００４６】
図６に、ユーザ端末１０の制御部１５が実行する以上のような情報提示およびコンテンツ再生に係る一連の処理の一例を示す。
【００４７】
この例では、制御部１５は、上記のように電源キー４１または検索キー４３が押されることによって全体の処理を開始して、まずステップ７１で、ディスプレイ２６上に、図３（Ａ）または図３（Ｂ）に示したような入力画面を表示する。
【００４８】
これに対して、上記のようにユーザが誕生年または年齢を入力し、スタートボタン５５にタッチすると、制御部１５は、ステップ７１からステップ７２に進んで、上記のように相対年表軸を設定し、年表を生成して、図４に示したような年表画面として表示する。
【００４９】
さらに、制御部１５は、ステップ７３に進んで、上記のようなアップキー４５またはダウンキー４６による表示年代領域変更操作があったか否かを判断し、表示年代領域変更操作があったときには、ステップ７３からステップ７４に進んで、年表中の年表画面として表示される年代領域を変更した上で、ステップ７３に戻る。
【００５０】
ステップ７３で表示年代領域変更操作がないと判断したときには、ステップ７３からステップ７５に進んで、情報提示およびコンテンツ再生に係る一連の処理を終了するか否かを判断し、電源キー４１が再び押されてユーザ端末１０の電源がオフにされ、または検索キー４３が再び押されたときには、情報提示およびコンテンツ再生に係る一連の処理を終了するが、そうでなければ、ステップ７５からステップ７６に進んで、コンテンツが選択されたか否かを判断する。
【００５１】
そして、コンテンツが選択されなければ、ステップ７６からステップ７３に戻るが、上記のようにコンテンツを示す部分がタッチされることによって、コンテンツが選択されたときには、ステップ７６からステップ７７に進んで、その選択されたコンテンツを再生する。
【００５２】
さらに、制御部１５は、ステップ７７からステップ７８に進んで、コンテンツの再生を終了するか否かを判断し、コンテンツの再生を終了しないときには、ステップ７８からステップ７７に戻って、コンテンツの再生を継続するが、ユーザのコンテンツ再生終了指示があったときや、選択されたコンテンツが動画や順次表示されるべき一連の静止画などで、そのコンテンツを最後まで再生したときには、ステップ７８からステップ７９に進んで、コンテンツの再生を終了して、ディスプレイ２６上にコンテンツ選択時の年表画面を表示する。
【００５３】
ただし、選択されたコンテンツが、楽曲などのように、ディスプレイ２６上に表示されるべきものではない場合には、その再生期間中、ディスプレイ２６上に年表画面を表示し続けることができる。
【００５４】
（２−３．複数の誕生年または年齢が入力された場合：図７〜図９）
図３（Ａ）に示したような入力画面５１で、ユーザが、例えば、誕生年“Ａ”として自身の誕生年である１９８０年を入力し、誕生年“Ｂ”として父親の誕生年である１９４５年を入力した場合、制御部１５は、図７に示すように、１９８０年および１９４５年を０歳、１９８１年および１９４６年を１歳、１９８２年および１９４７年を２歳とする相対年表軸８１を設定し、１９８０年以降の暦年に関連する情報を、その相対年表軸８１に対応づけて、相対年表軸８１の左側に示し、１９４５年以降の暦年に関連する情報を、相対年表軸８１に対応づけて、相対年表軸８１の右側に示した対照年表を生成し、その対照年表の一部の年代領域を、対照年表画面８０として表示する。
【００５５】
すなわち、この場合、左側年表部８３には、ユーザ自身の０歳以降の各年代の情報が示され、右側年表部８４には、父親の０歳以降の各年代の情報が示され、しかも、ユーザ自身および父親が、それぞれ０歳のとき、それぞれ５歳のとき、というような同じ年齢のときの異なる情報が、相対年表軸８１上の同じ位置に示される。
【００５６】
図３（Ｂ）に示したような入力画面５２で、ユーザが、例えば、年齢“Ａ”として自身の現在の年齢である２６歳を入力し、年齢“Ｂ”として父親の現在の年齢である６１歳を入力した場合も、全く同じである。
【００５７】
図７は、ユーザ自身および父親が０歳から１２歳まで（暦年では、ユーザ自身については１９８０年から１９９２年まで、父親については１９４５年から１９５７年まで）の１３年分の年代領域が表示される場合である。
【００５８】
これによって、ユーザは、例えば、父親が５歳のときに日本で初めてテープレコーダーが発売されたこと、父親が７歳のときに『嵐と共に来たる』という映画が上映されたこと、父親が９歳のときに『トリノの祭日』という映画が大ヒットしたこと、などを知ることができる。
【００５９】
この場合も、ユーザは、表示された対照年表画面８０に示されていない年代の情報を検索する場合には、アップキー４５またはダウンキー４６を操作して、対照年表画面８０に示される年代領域を変更させることができる。
【００６０】
図８は、同じ対照年表中の１３歳から２５歳まで（暦年では、ユーザ自身については１９９３年から２００５年まで、父親については１９５８年から１９７０年まで）の１３年分の年代領域が表示された状態を示し、図９は、同じ対照年表中の２５歳から３７歳まで（暦年では、ユーザ自身については２００５年から現在の２００６年まで、父親については１９７０年から１９８２年まで）の１３年分の年代領域が表示された状態を示す。
【００６１】
図８のような表示によって、ユーザは、例えば、父親が１８歳のときに「坂木歩」が歌ってヒットした『見上げてごらん空の雲を』という曲が、ユーザ自身が２４歳のとき、「平本健」によってカバーされてヒットしたこと、などが分かる。
【００６２】
また、図９のような表示によって、ユーザは、例えば、父親が３２歳のときに「山内桃子」が歌った『プラチナ・イミテーション』という曲が、ユーザ自身が２５歳のとき、「倉本舞」によってカバーされたこと、父親が３３歳のときに「山内桃子」が歌ってヒットした『いい日いい時』という曲が、ユーザ自身が２６歳のとき、「奥田ひろみ」によってカバーされたこと、などが分かる。
【００６３】
さらに、図７および図８のような表示によって、ユーザは、例えば、父親が９歳のときに大ヒットした『トリノの祭日』という映画が、ユーザ自身が２４歳のとき、５０周年記念上映として再上映されたこと、などが分かる。
【００６４】
このように、親と子、祖父母と孫など、世代の異なる者の各年代の情報を容易に比較対照することができるので、世代の異なる者の間の理解が深まり、対話が促進されるきっかけとなる。
【００６５】
図７〜図９のように対照年表が対照年表画面８０として表示される場合も、ユーザは、上述したような方法によってコンテンツを選択し、再生することができる。
【００６６】
［３．他の実施形態または例］
上記の例は、画面上にタッチすることによって誕生年または年齢を入力し、キー操作によって表示年代領域を変更し、画面上にタッチすることによってコンテンツを選択する場合であるが、誕生年または年齢の入力、表示年代領域の変更、およびコンテンツの選択は、別の方法ないし手段によって行うようにシステムを構成してもよい。
【００６７】
また、上記の例は、表示年代領域の変更として、表示される年代領域をスクロールする場合であるが、例えば、通常モードとズームモードの２つのモードを備え、通常モードでは、生成された年表の全ての年代領域または３０年間というような長期の年代領域の情報が表示され、ズームモードが選択された場合には、５年間や１０年間というような短期の年代領域の情報が表示されるようにシステムを構成することもできる。
【００６８】
この場合、表示対象の情報は、あらかじめ重要度または関心度がランクづけされ、通常モードでは、重要度または関心度の高い情報のみが表示され、ズームモードでは、重要度または関心度の低い情報も表示されるように構成することができる。
【００６９】
さらに、上記の例は、年表生成のもとになる暦年ごとの情報がユーザ端末１０に記録されている場合であるが、年表生成のもとになる暦年ごとの情報が、ユーザ端末１０がネットワークを介して接続されるサーバ上に記録されていて、検索時、そのサーバからユーザ端末１０に送信されるようにシステムを構成することもできる。
【００７０】
コンテンツ再生についても、サーバからユーザ端末１０にコンテンツデータが送信されることによって、ユーザ端末１０でコンテンツが再生されるようにシステムを構成することができる。
【００７１】
また、各ユーザのもとの複数の端末がネットワークを介して接続されることにより、それぞれの端末で、各ユーザが入力した誕生年を基準年（ゼロ歳）とする相対年表軸が設定され、共通の対照年表が生成されて、対照年表画面としてディスプレイ上に表示されるようにシステムを構成することによって、各ユーザは、自身と他のユーザの各年代の情報を検索し、比較対照することができ、相互の理解や親交を深めることができる。
【図面の簡単な説明】
【００７２】
【図１】この発明の情報提示装置の一例としてのユーザ端末を示す図である。
【図２】ユーザ端末の外観構成の一例を示す図である。
【図３】入力画面の一例を示す図である。
【図４】年表画面の一例を示す図である。
【図５】表示年代領域変更後の年表画面の一例を示す図である。
【図６】ユーザ端末の制御部が実行する情報提示処理の一例を示す図である。
【図７】対照年表画面の一例を示す図である。
【図８】表示年代領域変更後の対照年表画面の一例を示す図である。
【図９】表示年代領域変更後の対照年表画面の一例を示す図である。
【符号の説明】
【００７３】
主要部については図中に全て記述したので、ここでは省略する。
【図１】
2007305024.tif 000003
【図２】
2007305024.tif 000004
【図３】
2007305024.tif 000005
【図４】
2007305024.tif 000006
【図５】
2007305024.tif 000007
【図６】
2007305024.tif 000008
【図７】
2007305024.tif 000009
【図８】
2007305024.tif 000010
【図９】
2007305024.tif 000011